(57)【要約】【課題】キャビティが一列に並んで配されたコネクタであっても、リテーナの傾きを抑制し、端子金具の抜け止め状態を確実に保持できるコネクタを提供する。【解決手段】リテーナ３０が本係止位置にあるときには、後側リブ４１が補強部３８の直後位置に配されるから、端子金具１０に引き抜き力が作用し、抜止め部３２が後方に押されてリテーナ３０が傾こうとすると、補強部３８がこの後側リブ４１に当接してリテーナ３０がそれ以上傾いてしまうことが防がれる。これにより、キャビティ２１が一列に並んで配されたコネクタ１であっても、リテーナ３０の傾きを抑制し、端子金具１０の抜け止め状態を確実に保持することができる。また、後側リブ４１をハウジング２０側に設けるだけでよいから、少なくともリテーナ３０の形状を変更しなくて済む。【選択図】図８
2008027654.tif 000002
【特許請求の範囲】
【請求項１】
後方から端子金具を挿抜可能な複数のキャビティが横一列に並べられたハウジングと、
前記キャビティの並列方向に延びるリテーナ本体部を備えるとともに、前記ハウジングにおける前記並列方向に沿う側面から縦方向に差し込まれて前記端子金具の挿抜を許容する仮係止位置と前記端子金具を抜け止め状態に係止する本係止位置との間を移動可能なリテーナと、
前記ハウジングの前記側面から前記キャビティに貫通して形成され、前記リテーナが装着可能とされたリテーナ装着部と、
前記リテーナ本体部における前記各キャビティに対応する位置に設けられ、前記リテーナが前記仮係止位置にあるときには前記各キャビティから退避するとともに前記本係止位置にあるときには前記各端子金具に係止してその抜け止めを図る抜止め部と、
前記リテーナ本体部に設けられ、板面を同リテーナ本体部の長さ方向に交差する向きにして前記リテーナの差し込み方向に立ち上がる側板部と、
前記側板部の前部および後部に形成され、それぞれ片持ち状をなして前記リテーナの差し込み方向に延出し、同リテーナが前記仮係止位置または前記本係止位置に至ったときにそれぞれ前記リテーナ装着部に係止可能な一対の係止アームと、
前記一対の係止アームの間に設けられた補強部と、
前記リテーナ装着部における前記側板部の板面に対して対向する壁面に設けられ、前記リテーナが前記本係止位置にあるときには前記補強部の直後位置に配されるリブと、
を備えることを特徴とするコネクタ。
【請求項２】
前記リテーナ装着部における前記壁面には、前記補強部の直後位置に配されるリブとは別に同補強部の前側に配されるリブも設けられ、
前記リテーナを前記リテーナ装着部に差し込む際には、前記補強部がこの前後一対のリブの間に差し込まれる構造となっていることを特徴とする請求項１に記載のコネクタ。
【請求項３】
前記一対のリブは、前記補強部の前縁および後縁に沿って延びる形状とされていることを特徴とする請求項２に記載のコネクタ。
【発明の詳細な説明】
【技術分野】
【０００１】
本発明は、コネクタに関する。
【背景技術】
【０００２】
従来、ハウジングの側面から差し込まれて端子金具に直接に係止し、この端子金具の抜止めを図るサイドリテーナを備えたコネクタとして、特許文献１に記載のものが知られている。このコネクタのハウジングには、端子金具を収容するための複数のキャビティが上下２段に分かれて形成され、また、リテーナを装着可能なリテーナ装着溝がハウジングの上面から内部へ向かってキャビティを貫通して形成されている。
【０００３】
リテーナは、格子状をなすリテーナ本体部を備えている。このリテーナ本体部は、上下一対の上板部および下板部と、この上板部と下板部とを連結する仕切壁とを備え、前後方向に貫通する複数の貫通孔が一列に並んで形成されている。各貫通孔は、リテーナがリテーナ装着溝に対して本係止位置に装着されると、ハウジングに設けられたキャビティのうち、上段の各キャビティとそれぞれ連通するように形成され、また下板部の下方の空間は、ハウジングの下段のキャビティと対応している。そして、この上板部と下板部とには、それぞれ端子金具に係止してその抜け止めを図る抜止め部が形成され、リテーナは、この抜止め部がキャビティの上方に退避してキャビティ内への端子金具の挿抜を許容する仮係止位置と、抜止め部がキャビティ内に進入して端子金具に係止する本係止位置との間で移動可能とされている。
【０００４】
また、リテーナ本体部の左右両端には一対の側板が垂下され、この側板の前後には、下向きに延出する仮保持アームと本保持アームとがそれぞれ一対ずつ形成されている。そして、リテーナが仮係止位置に至ったときには、仮係止アームがリテーナ装着溝の所定位置に設けられた仮係止突起に係止し、リテーナが本係止位置に至ったときには、本係止アームが同じくリテーナ装着溝に設けられた本係止突起に係止して、リテーナがそれぞれの位置で保持されるようになっている。
【特許文献１】特開２００１−３３２３３５公報
【発明の開示】
【発明が解決しようとする課題】
【０００５】
しかしながら、上記のようなリテーナを備えたコネクタにおいては、リテーナの押し込みを円滑に行うために、リテーナ装着溝とリテーナとの間に所定のクリアランスが設定されている。このため、リテーナが本係止位置に保持されている状態で、電線が引っ張られる等により端子金具に強い引き抜き力が作用すると、リテーナの抜止め部が後方に押され、リテーナが斜めに傾こうとする。ここで、上記のようにリテーナ本体部が格子状をなしている場合には、リテーナ本体部の下板部がハウジングに当接し、比較的早い段階でリテーナの傾きが規制されるから、傾きの程度が小さく抑えられる。しかし、上記と異なり、キャビティが一列に並べられたコネクタにおいて、そのリテーナ本体部が、上記のリテーナ本体部で言うところの上板部のみを備えるだけの構造とされている場合には、そのような効果を得られずリテーナの傾きが大きくなる傾向にある。そして、リテーナの傾きが大きくなると、抜止め部と端子金具との係止代が減少し、ひいては端子金具の抜け止め状態が解除されてしまうおそれがあるためその対策が望まれる。
【０００６】
本発明は上記のような事情に基づいて完成されたものであって、キャビティが一列に並んで配されたコネクタであっても、リテーナの傾きを抑制し、端子金具の抜け止め状態を確実に保持できるコネクタを提供することを目的とする。
【課題を解決するための手段】
【０００７】
上記の目的を達成するための手段として、請求項１の発明は、後方から端子金具を挿抜可能な複数のキャビティが横一列に並べられたハウジングと、前記キャビティの並列方向に延びるリテーナ本体部を備えるとともに、前記ハウジングにおける前記並列方向に沿う側面から縦方向に差し込まれて前記端子金具の挿抜を許容する仮係止位置と前記端子金具を抜け止め状態に係止する本係止位置との間を移動可能なリテーナと、前記ハウジングの前記側面から前記キャビティに貫通して形成され、前記リテーナが装着可能とされたリテーナ装着部と、前記リテーナ本体部における前記各キャビティに対応する位置に設けられ、前記リテーナが前記仮係止位置にあるときには前記各キャビティから退避するとともに前記本係止位置にあるときには前記各端子金具に係止してその抜け止めを図る抜止め部と、前記リテーナ本体部に設けられ、板面を同リテーナ本体部の長さ方向に交差する向きにして前記リテーナの差し込み方向に立ち上がる側板部と、前記側板部の前部および後部に形成され、それぞれ片持ち状をなして前記リテーナの差し込み方向に延出し、同リテーナが前記仮係止位置または前記本係止位置に至ったときにそれぞれ前記リテーナ装着部に係止可能な一対の係止アームと、前記一対の係止アームの間に設けられた補強部と、前記リテーナ装着部における前記側板部の板面に対して対向する壁面に設けられ、前記リテーナが前記本係止位置にあるときには前記補強部の直後位置に配されるリブと、を備えるところに特徴を有する。
【０００８】
請求項２の発明は、請求項１に記載のものにおいて、前記リテーナ装着部における前記壁面には、前記補強部の直後位置に配されるリブとは別に同補強部の前側に配されるリブも設けられ、前記リテーナを前記リテーナ装着部に差し込む際には、前記補強部がこの前後一対のリブの間に差し込まれる構造となっているところに特徴を有する。
請求項３の発明は、請求項２に記載のものにおいて、前記一対のリブは、前記補強部の前縁および後縁に沿って延びる形状とされているところに特徴を有する。
【発明の効果】
【０００９】
＜請求項１の発明＞
リテーナが本係止位置にあるときには、リブが補強部の直後位置に配されるから、端子金具に引き抜き力が作用し、抜止め部が後方に押されてリテーナが傾こうとすると、補強部がリブに当接してリテーナがそれ以上傾いてしまうことが防がれる。これにより、キャビティが一列に並んで配されたコネクタであっても、リテーナの傾きを抑制し、端子金具の抜け止め状態を確実に保持することができる。また、リブをハウジング側に設けるだけでよいから、少なくともリテーナの形状を変更しなくて済む。
【００１０】
＜請求項２の発明＞
補強部の直後位置に配されるリブとは別に補強部の前側にもリブが設けられ、リテーナをリテーナ装着部に差し込む際には、補強部がこの前後一対のリブの間に差し込まれる構造となっている。これにより、補強部が一対のリブによってガイドされるから、リテーナが差し込まれる際の姿勢が安定し、リテーナの円滑な組み付けが可能となる。
【００１１】
＜請求項３の発明＞
一対のリブは、補強部の前縁および後縁に沿って延びる形状とされているから、リテーナが差し込まれる際の姿勢がより安定する。
【発明を実施するための最良の形態】
【００１２】
＜実施形態１＞
以下、本発明の実施形態を図１〜図８によって説明する。
本実施形態におけるコネクタ１は、端子金具１０を収容可能なハウジング２０と、このハウジング２０に組み付けられて端子金具１０の抜止めを図るリテーナ３０とを備えて構成されている。
以下、各構成部材において、ハウジング２０に対する端子金具１０の挿入方向を前方とし、また図１の上側を上方、下側を下方として説明する。
【００１３】
ハウジング２０は合成樹脂材からなり、図１および図３に示すように、その内部には後方から端子金具１０を挿抜可能な４室のキャビティ２１が横一列に並んだ状態で形成されている。各キャビティ２１内には、正規位置に挿入された端子金具１０を一次係止するためのランス２２が形成されている。
【００１４】
このハウジング２０には、その下面からキャビティ２１に貫通形成されて、リテーナ３０が挿抜可能とされたリテーナ装着部２３が設けられている。リテーナ装着部２３は、図２に示すように、ハウジング２０の下面に横方向に長い略長方形をなして開口する本体装着部２４と、この本体装着部２４の長さ方向両端縁に沿うとともにこの本体装着部２４よりも前側と後側とにそれぞれ突出する細長い溝状をなして開口する一対の側板装着部２５とを備えている。なお、本体装着部２４は、４室全てのキャビティ２１の前後方向略中央部に連通している。
【００１５】
また、本体装着部２４の下端部は、この本体装着部２４の上側部分よりも後方に広く開口する開口縁部２４Ａとされている。開口縁部２４Ａの後側部分は、図３に示すように、ハウジング２０の下面を上方に凹ませることにより形成されている。この開口縁部２４Ａには、後述するリテーナ本体部３１の底板部３１Ａが嵌まるようになっている。
【００１６】
そして、両側板装着部２５における後側の側縁には、図２および図７に示すように、それぞれ前方に向かって仮係止突起２５Ａが突設されるとともに、前側の側縁における仮係止突起２５Ａより少し上方の位置には、後方に向かって本係止突起２５Ｂが突設されている。
【００１７】
また、各側板装着部２５の壁面２６（リテーナ装着部２３の幅方向における両端面）には、それぞれリブ４０，４１が一対ずつ形成されている。このリブ４０，４１については後ほど詳しく説明する。
【００１８】
端子金具１０は、所定形状に打ち抜いた金属板を曲げ加工し、図３に示すように、全体として前後方向に細長い形状に形成され、その前側は相手側の端子金具（図示せず）と接続可能な略角筒状をなす角筒部１１、後側は電線を圧着するバレル部１２とされている。角筒部１１の下面には、ランス２２に対して係止可能な一次係止部（図示せず）が設けられ、また、角筒部１１の後端縁は、後述するリテーナ３０に対して係止可能な二次係止部１３とされている。
【００１９】
リテーナ３０は、ハウジング２０の下面（キャビティ２１の並列方向に沿う側面）から上方（縦方向）に差し込まれて端子金具１０の挿抜を許容する仮係止位置（図３参照）と端子金具１０を抜け止め状態に係止する本係止位置（図４参照）との間を移動可能とされている。
【００２０】
このリテーナ３０は合成樹脂材により成形され、図５に示すように、キャビティ２１の並列方向に延びる横長のリテーナ本体部３１を備えている。リテーナ本体部３１は、リテーナ３０が本係止位置に保持されるとリテーナ装着部２３の開口縁部２４Ａに嵌まって開口を塞ぐ底板部３１Ａと、本体装着部２４の上側まで差し込まれる差込部３１Ｂとを備えている。底板部３１Ａは、図６に示すように、開口縁部２４Ａに沿った横方向に長い略長方形の平板状をなし、リテーナ３０が本係止位置に保持された状態では、その下面がハウジング２０の下面と面一となる。
【００２１】
差込部３１Ｂは底板部３１Ａの前側部分に形成され、図４に示すように、その上端面は、リテーナ３０が本係止位置に保持されている状態で各キャビティ２１の下面を構成するようになっている。この上端面には、各キャビティ２１と対応した位置ごとに抜止め部３２が形成されている。各抜止め部３２は、リテーナ３０が仮係止位置にあるときには各キャビティ２１から退避し、リテーナ３０が本係止位置にあるときには各キャビティ２１に進入して各端子金具１０の二次係止部１３に係止し抜け止めを図る。また、差込部３１Ｂの上端面には、リテーナ３０が本係止位置に保持されると、ハウジング２０側の仕切壁とともにキャビティ２１の隔壁を構成する仕切壁３３が設けられている。
【００２２】
リテーナ本体部３１の幅方向における両端部には、図５に示すように、板面をこのリテーナ本体部３１の長さ方向に交差する向きにして上方（リテーナ３０の差し込み方向）に立ち上がる一対の側板部３４が設けられている。一対の側板部３４は、リテーナ装着部２３の側板装着部２５に挿入されると、その外側面３５（互いに向き合う側とは反対側の板面）が、それぞれ側板装着部２５の壁面２６に非常に近接してほぼ平行に対向する（図２を併せて参照）。
【００２３】
各側板部３４の前部および後部には、図７に示すように、本保持アーム３６と仮保持アーム３７（本発明における一対の係止アームに該当する）とが設けられている。前後一対の本保持アーム３６および仮保持アーム３７は、それぞれ片持ち状をなして上方（リテーナ３０の差し込み方向）に延出し、互いに接近方向に弾性撓み可能とされている。なお、この本保持アーム３６と仮保持アーム３７とは、ほぼ同じ高さまで延出している。
【００２４】
そして、後側に設けられた仮保持アーム３７の上端部には、後方に向かって仮保持突部３７Ａが突出形成され、一方前側に設けられた本保持アーム３６の上端部には、前方に向かって本保持突部３６Ａが突出形成されている。そして、リテーナ３０が仮係止位置に至ったときには、仮保持突部３７Ａが仮係止突起２５Ａに係止し（図７参照）、リテーナ３０が本係止位置に至ったときには本保持突部３６Ａが本係止突起２５Ｂにそれぞれ係止する（図８参照）。
【００２５】
各側板部３４における本保持アーム３６と仮保持アーム３７との間には、それぞれ両アーム３６，３７とほぼ同じ高さまで突出する補強部３８が設けられている。そして、補強部３８と両アーム３６，３７との間には、前後一対のスリット（前側スリット３９Ｆおよび後側スリット３９Ｂ）が形成されている。
【００２６】
各補強部３８は、側方から見ると上下方向（縦方向）に長い長方形状をなし、その上端部の前後両角部には丸みが付けられている。そして、各補強部３８における前後両面３８Ａ，３８Ｂは、リテーナ３０の底板部３１Ａにおける板面方向に対してほぼ垂直方向に立ち上げられ、一方、両アーム３６，３７における互いに向き合う側の面（補強部３８と対向する側の面）は、上側から下側に向かって徐々に近付く向きの傾斜をなしており、各スリット３９Ｆ，３９Ｂは、下方に向かって前後方向の幅寸法が徐々に狭められている。また、前側スリット３９Ｆは、後側スリット３９Ｂよりも切り込み深さが深く、各補強部３８の前面３８Ａは後面３８Ｂに比べて上下方向の長さ寸法が大きい。なお、各スリット３９Ｆ，３９Ｂの下端部は円弧状をなしている。
【００２７】
さて、各側板装着部２５の壁面２６には、前後一対のリブ（前側リブ４０および後側リブ４１）がそれぞれ設けられている。前側リブ４０および後側リブ４１は、リテーナ装着部２３における上下方向ほぼ中央位置よりも上側（リテーナ３０の差し込み方向奥側）に配されている。各リブ４０，４１は、図２に示すように、側板装着部２５の壁面２６から、それぞれ内側に向かって突出するとともに、その突出端は、側板装着部２５における壁面２６と対向する面に連設されている。
【００２８】
各リブ４０，４１を側方から見た断面形状は、図７に示すように、上下方向に細長い略長方形状とされ、前側リブ４０の前面４０Ａと後面４０Ｂ、後側リブ４１の前面４１Ａと後面４１Ｂは、それぞれほぼ平行をなしている。また、各リブ４０，４１の上下方向の寸法は、図８に示すように、補強部３８の後面３８Ｂにおける丸み部分を除いた直線部分の上下方向寸法とほぼ同じ寸法とされている。なお、各リブ４０，４１の下端部には丸みが付けられており、リテーナ３０が若干傾いた姿勢でリテーナ装着部２３に挿入され、補強部３８の上端部の角部がリブ４０，４１の下端部に接触した場合には、ともに丸みが付けられているから互いに引っ掛かりにくく、リテーナ３０の挿入が円滑になされる。
【００２９】
また、前側リブ４０および後側リブ４１の前後方向の間隔は、補強部３８の前後方向の幅寸法よりもわずかに大きく空けられ、前側リブ４０の後面４０Ｂと補強部３８の前面３８Ａ、後側リブ４１の前面４１Ａと補強部３８の後面３８Ｂとの間には、それぞれわずかなクリアランスが設けられている。この前側リブ４０の後面４０Ｂと補強部３８の前面３８Ａ、後側リブ４１の前面４１Ａと補強部３８の後面３８Ｂとは、それぞれほぼ平行に近接し、補強部３８はこのリブ４０，４１間に緊密に嵌合されるとともに上下方向の移動が許容されるようになっている。
【００３０】
また、前側リブ４０および後側リブ４１は、それぞれ前側スリット３９Ｆおよび後側スリット３９Ｂにおける補強部３８側に寄った位置に配され、前側リブ４０と本保持アーム３６、後側リブ４１と仮保持アーム３７との間には、各本保持突部３６Ａおよび仮保持突部３７Ａがそれぞれ本係止突起２５Ｂおよび仮係止突起２５Ａに乗り上げ可能な分だけ各アーム３６，３７が弾性撓み可能な空間が確保されている。
【００３１】
次に、上記のように構成された本実施形態の作用および効果について説明する。
まず、リテーナ３０を仮係止位置に保持し、各キャビティ２１に端子金具１０を挿入する。ハウジング２０の下方からリテーナ３０をリテーナ装着部２３に挿入すると、各補強部３８の上端部がそれぞれ前後一対のリブ４０，４１間に差し込まれていく。補強部３８は、その前面３８Ａおよび後面３８Ｂが、前側リブ４０の後面４０Ｂおよび後側リブ４１の前面４１Ａと、それぞれほぼ平行に向き合った状態となって一対のリブ４０，４１間を案内される。そして、リテーナ３０が仮係止位置に至ると、図７に示すように、補強部３８、本保持アーム３６および仮保持アーム３７の上端の位置がリブ４０，４１の上端寄り位置に達し、前側リブ４０および後側リブ４１は補強部３８における略上半部分の直前位置および直後位置にそれぞれ配された状態となる。また、仮保持突部３７Ａが仮係止突起２５Ａに係止してリテーナ３０が仮係止位置に保持される。その後、４本の端子金具１０を各キャビティ２１に順番に挿入する。
【００３２】
次に、仮係止位置に保持されているリテーナ３０を本係止位置まで押し込む。リテーナ３０の底板部３１Ａの下面をリテーナ３０の差し込み方向に押圧すると、一対のリブ４０，４１間にその上端部を差し込まれた補強部３８が、再び前側リブ４０の後面４０Ｂと後側リブ４１の前面４１Ａとに案内されつつ、リテーナ３０がさらに奥方に差し込まれる。そして、リテーナ３０は、図８に示すように、補強部３８の上端部（角部に丸みが付けられている部分）が、一対のリブ４０，４１を上方に越えて突出する位置まで移動し、補強部３８の前面３８Ａの直前位置に前側リブ４０が、補強部３８の後面３８Ｂの直後位置に後側リブ４１が、それぞれ丸みが付けられた部分を除く直線部分同士を対向させた状態で配される。こうしてリテーナ３０は、各補強部３８がそれぞれ一対のリブ４０，４１間を案内されて本係止位置に至るから、その移動の途中で傾いたりすることなく安定姿勢が保たれる。また、この案内がリテーナ３０の幅方向両端部において行われるからバランスがよい。そして、リテーナ３０は、本保持突部３６Ａが本係止突起２５Ｂに係止することにより本係止位置に保持され、端子金具１０は抜止め部３２に二次係止されて抜止めされる。
【００３３】
こうして、リテーナ３０が本係止位置に組み付けられた状態で、端子金具１０が強く引っ張られることがある。すると、端子金具１０に二次係止している抜止め部３２が後方へ押圧され、リテーナ３０は、その後端部がリテーナ装着部２３から抜け出す向きに傾こうとする。このとき、補強部３８の後面３８Ｂがその直後位置に配されている後側リブ４１の前面４１Ａに当接するから、リテーナ３０がそれ以上傾くことが防がれる。
【００３４】
また、前後一対のリブ４０，４１をリテーナ装着部２３の壁面２６にそれぞれ設けるだけで、リテーナ３０の傾きが抑制され、かつリテーナ３０の差し込みが案内されるようになっており、リテーナ３０の形状を変更することなくそのままの形状で使用することができる。したがって、例えばハウジング側とリテーナ側とに互いに係合し合う部分を形成する等、両部材の形状の変更が必要な場合に比べて経済性に優れる。
【００３５】
また、リテーナ装着部２３の両壁面２６、言い換えるとハウジング２０の両側壁部の内側面にそれぞれリブ４０，４１を設けることにより、このリブ４０，４１が両側壁部の補強を兼ねることになるから、側壁部に同じ強度をもたせるのであれば、リブ４０，４１が設けられないものに比べてその壁厚を薄くできるという効果も得られ、もってハウジング２０の小型化が図れる。
【００３６】
なお、端子金具１０を取り外す際には、上記とは逆に、リテーナ３０を本係止位置から仮係止位置へと移動させた後、ランス２２の係合を解除して端子金具１０を抜き取る。このリテーナ３０の移動の際にも、補強部３８とリブ４０との嵌合によりリテーナ３０に対するガイド機能が発揮され、リテーナ３０は所定の姿勢を保ちつつ、かつ所定の経路から外れることなく移動することができる。したがって、リテーナ３０をリテーナ装着部２３に対して抜き挿しする際の操作性が優れている。
【００３７】
以上説明したように本実施形態によれば、リテーナ３０が本係止位置にあるときには、後側リブ４１が補強部３８の直後位置に配されるから、端子金具１０に引き抜き力が作用し、抜止め部３２が後方に押されてリテーナ３０が傾こうとすると、補強部３８がこの後側リブ４１に当接してリテーナ３０がそれ以上傾いてしまうことが防がれる。これにより、キャビティ２１が一列に並んで配されたコネクタ１であっても、リテーナ３０の傾きを抑制し、端子金具１０の抜け止め状態を確実に保持することができる。また、後側リブ４１をハウジング２０側に設けるだけでよいから、少なくともリテーナ３０の形状を変更しなくて済む。
【００３８】
そして、補強部３８の直後位置に配される後側リブ４１とは別に、補強部３８の前側には前側リブ４０Ｆが設けられ、リテーナ３０をリテーナ装着部２３に差し込む際には、補強部３８がこの前後一対のリブ４０，４１の間に差し込まれる構造となっている。これにより、補強部３８が一対のリブ４０，４１によってガイドされるから、リテーナ３０が差し込まれる際の姿勢が安定し、リテーナ３０の円滑な組み付けが可能となる。加えて、一対のリブ４０，４１は、補強部３８の前面３８Ａおよび後面３８Ｂに沿って延びる形状とされているから、リテーナ３０が差し込まれる際の姿勢がより安定する。
【００３９】
＜関連技術＞
以下、関連技術を図９〜図１３によって説明する。
関連技術に係るコネクタ６０は、ハウジング６３にリブを設ける替わりに、リテーナ６４に左右一対の係止片６１を設けたものである。なお、実施形態１と同様の構成には同一符号を付して重複する説明を省略する。
【００４０】
このコネクタ６０は、図９に示すように、実施形態１と同様、キャビティ６２が一列に配されたハウジング６３と、このハウジング６３に対して下方から差し込まれるリテーナ６４とを備えている。
【００４１】
リテーナ６４は、図１０に示すように、実施形態１と同様、横方向に長いリテーナ本体部６５と、このリテーナ本体部６５の長手方向両端部に設けられた一対の側板部６６とを備えている。
【００４２】
そして、一対の係止片６１は、側板部６６の直内側位置にそれぞれ配されている。各係止片６１は、それぞれリテーナ本体部６５の底板部６５Ａの前端面および側板部６６の内側面における下端部から略長方形の平板状をなして張り出す形態とされている。各係止片６１は、図９に示すように、底板部６５Ａとほぼ同じ板厚をなして前方へ張り出しており、その前端縁位置は側板部６６の前端縁位置とほぼ同じ位置に至っている。また、各係止片６１の内側縁（側板部６６の板面とほぼ平行をなす側縁）は、並列する抜止め部６７のうち両端位置に配された抜止め部６７における幅方向外側縁とほぼ同じ位置に至っている。
【００４３】
そして、リテーナ装着部６８における両側板装着部７０の内側には、図１１に示すように、各係止片６１が装着可能な係止片装着部７１が一対設けられている。各係止片装着部７１は、図１１および図１２に示すように、本体部装着部６９と側板装着部７０の下端部とを前方および内方へそれぞれ広げた形態をなしている。各係止片装着部７１は、ハウジング６３の下面を上方に凹ませて形成され、下方から見るとそれぞれ係止片６１が嵌合可能な略長方形状をなしている。そして、リテーナ６４が本係止位置に保持されている状態においては、図１３に示すように、各係止片６１が各係止片装着部７１に嵌まり、その上面６１Ａと係止片装着部７１の天井面７１Ａとが対向するとともに、係止片６１の下面はハウジング６３の下面と面一となる。
【００４４】
そして、端子金具１０に引き抜き力が作用し、抜止め部６７が後方に押されてリテーナ６４が傾こうとすると、各係止片６１の上面６１Ａにおける前端縁が、係止片装着部７１の天井面７１Ａにおける前端縁に当接し、それ以上リテーナ６４が傾いてしまうことが防がれる。したがって、このような係止片６１を設けた構造のものであれば、リテーナ６４の傾動を抑制可能である。
【００４５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４６】
（１）実施形態１においては、リテーナ装着部２３の幅方向両端面に前後一対ずつリブ４０，４１を設けたが、これに限らず、補強部の後側に配されるリブのみを設けてリテーナの傾きを抑制するようにしてもよい。
【００４７】
（２）実施形態１においては、リテーナ３０の両端部に側板部３４が一対設けられたものに対して本発明を適用した場合について説明したが、これに限らず、例えば多極化のため非常に横方向に長くされたリテーナにおいて、その両端部に加えて中央部に側板部が設けられたものにも本発明を適用することができる。この場合には、リテーナ装着部の両端部の壁面だけでなく、中央部に形成された側板装着部の壁面にもリブを設ければよい。すると、リテーナは、その両端部に加えて中央部においても傾きが抑えられ、もって多極化されたリテーナにおいても確実に傾きが抑制される。なお、必ずしもすべての側板装着部の壁面にリブを形成する必要はなく、リテーナの傾きを抑制できるのであれば、例えば、両端部の側板装着部のうち一方の側板装着部の壁面のみ、もしくは、中央部の側板装着部の壁面のみに形成するようにしてもよい。
【００４８】
（３）実施形態１においては、各リブ４０，４１を側方から見た断面形状は、上下方向に細長い略長方形状とされているが、リブはどのような形状であってもよく、例えば、側方から見た断面形状が円形状もしくは三角形状であってもよい。
【００４９】
（４）実施形態１においては、各リブ４０，４１の突出端は、側板装着部２５における壁面２６と対向する面に達して連設されているが、リブは、補強部の後面に当接してリテーナの傾動を抑制可能な突出寸法を備えていれば、その突出端が対向面に達していなくてもよい。
【００５０】
（５）実施形態１においては、補強部３８を挟んで後側に仮保持アーム３７が、前側に本保持アーム３６が設けられているが、両アームは前後が逆に配されていてもよい。
【００５１】
（６）実施形態１においては、両アーム３６，３７と補強部３８とがほぼ同じ高さまで突出する形態とされているが、これに限らず、例えば、補強部の高さが両アームより高くても低くてもよく、またそれぞれの高さが全て異なっていてもよい。
【図面の簡単な説明】
【００５２】
【図１】実施形態１におけるハウジングの正面図
【図２】ハウジングの下面図
【図３】リテーナが仮係止位置に保持されている状態を表すコネクタの縦断面図
【図４】リテーナが本係止位置に保持されている状態を表すコネクタの縦断面図
【図５】リテーナの正面図
【図６】リテーナの下面図
【図７】リテーナが仮係止位置に保持されている際の側板装着部位置における縦断面図
【図８】リテーナが本係止位置に保持されている際の側板装着部位置における縦断面図
【図９】関連技術におけるリテーナがハウジングに差し込まれる前の状態を表すコネクタの縦断面図
【図１０】リテーナの上面図
【図１１】ハウジングの下面図
【図１２】ハウジングの横断面図
【図１３】リテーナが本係止位置に保持されている状態を表すコネクタの縦断面図
【符号の説明】
【００５３】
１…コネクタ
１０…端子金具
２０…ハウジング
２１…キャビティ
２３…リテーナ装着部
２６…壁面
３０…リテーナ
３１…リテーナ本体部
３２…抜止め部
３４…側板部
３５…側板部の外側面（板面）
３６…本保持アーム（係止アーム）
３７…仮保持アーム（係止アーム）
３８…補強部
３８Ａ…補強部の前面（前縁）
３８Ｂ…補強部の後面（後縁）
４０…前側リブ
４１…後側リブ
【図１】
2008027654.tif 000003
【図２】
2008027654.tif 000004
【図３】
2008027654.tif 000005
【図４】
2008027654.tif 000006
【図５】
2008027654.tif 000007
【図６】
2008027654.tif 000008
【図７】
2008027654.tif 000009
【図８】
2008027654.tif 000010
【図９】
2008027654.tif 000011
【図１０】
2008027654.tif 000012
【図１１】
2008027654.tif 000013
【図１２】
2008027654.tif 000014
【図１３】
2008027654.tif 000015